(57)【要約】【課題】  誘導加熱に際してロースター加熱部の上方に設置した加熱コイルＢによって非磁性体であるアルミニウム製鍋の加熱ができるように制御することにより、使用者の使い勝手を良くした。【解決手段】  本体１内に加熱コイルＡ３、加熱コイルＢ４、加熱コイルＢ４の下方に配置されたロースター加熱部９、加熱コイルＢ４に対して被加熱物１３が磁性体か非磁性体かを判別し、その判別結果に基づいて夫々磁性体用と非磁性体用の２種類の高周波電力を供給するインバータ回路を搭載した出力制御基板６を配置し、前記出力制御基板６は被加熱物１３の判別結果により磁性体用又は非磁性体用の高周波電力を選択し、加熱コイルＢ４を連続して非磁性体の被加熱物１３を使用できるように制御するとともに、加熱コイルＡ３、加熱コイルＢ４の通電中に、その通電を使用者に知らせる表示部Ａ１０、表示部Ｂ１１を本体１に設けた。【選択図】  図２
2005056684.tif 000002
【特許請求の範囲】
【請求項１】
本体（１）の上面に被加熱物（１３）を載置する絶縁板（２）を配置し、この絶縁板（２）の下方の本体（１）内に加熱コイルＡ（３）、加熱コイルＢ（４）、加熱コイルＢ（４）の下方に配置されたロースター加熱部（９）、加熱コイルＢ（４）に対して被加熱物（１３）が磁性体か非磁性体かを判別し、その判別結果に基づいて夫々磁性体用と非磁性体用の２種類の高周波電力を供給するインバータ回路を搭載した出力制御基板（６）を配置し、前記出力制御基板（６）は被加熱物（１３）の判別結果により磁性体用又は非磁性体用の高周波電力を選択し、加熱コイルＢ（４）を連続して非磁性体の被加熱物（１３）を使用できるように制御することを特徴とする誘導加熱調理器。
【請求項２】
加熱コイルＡ（３）、加熱コイルＢ（４）の通電中に、その通電を使用者に知らせる表示部Ａ（１０）、表示部Ｂ（１１）を本体（１）に設けたことを特徴とする請求項１記載の誘導加熱調理器。
【発明の詳細な説明】
【技術分野】
【０００１】
本発明は、アルミニウムや銅等の非磁性金属よりなる調理鍋を連続加熱できる加熱コイルを備えた誘導加熱調理器に関するものである。
【背景技術】
【０００２】
従来のこの種誘導加熱調理器の代表的なものとして、特許文献１（特開２００３−１７２３２号公報）に示すものがある。
【０００３】
このものは、本体外面に吸気部と排気部とを備え、本体内に複数の加熱コイルと、前記吸気部と通気路で繋がった冷却ファンと、前記加熱コイルをそれぞれ駆動する回路ユニットと、ロースターとを備え、前記複数の加熱コイルのうち前記冷却ファンに近い側に、アルミニウム製鍋を連続加熱できる加熱コイルを配置したものである。
【０００４】
また、本体外面に吸気部と排気部とを備え、本体内に複数の加熱コイルと、前記吸気部と通気路で繋がった冷却ファンと、前記加熱コイルをそれぞれ駆動する回路ユニットと、ロースターとを備え、前記ロースターから遠い側に、アルミニウム製鍋を連続加熱できる加熱コイルを配置したものも示されている。
【０００５】
これらのものは、いずれもロースターから遠い側に、アルミニウム製鍋を連続加熱できる加熱コイルを配置した構成で一致している。
【０００６】
【特許文献１】特開２００３−１７２３２号公報
【発明の開示】
【発明が解決しようとする課題】
【０００７】
上記従来の構成では、安価ですでに一般家庭に非常に多く普及している非磁性体のアルミニウム製鍋を使用する場合、その加熱部位がロースターから遠い側に限定されてしまい、不便であった。
【０００８】
また、魚好きの日本人はロースターにより魚調理を頻繁に行なうため、非磁性体のアルミニウム製鍋を使用する場合、その加熱部位がロースターから遠い側にあると、同時調理の際など、使用者はその調理の調節を広い範囲で注意して見て行なわなければならず、使い勝手が悪いものであった。
【０００９】
本発明は、上記の課題を解決するためになされたものであり、ロースター加熱部の上方に設置した加熱コイルＢによって非磁性体であるアルミニウム製鍋の加熱ができるように制御することにより、使用者の使い勝手を良くしたものである。
【課題を解決するための手段】
【００１０】
本発明の解決手段は、本体の上面に被加熱物を載置する絶縁板を配置し、この絶縁板の下方の本体内に加熱コイルＡ、加熱コイルＢ、加熱コイルＢの下方に配置されたロースター加熱部、加熱コイルＢに対して被加熱物が磁性体か非磁性体かを判別し、その判別結果に基づいて夫々磁性体用と非磁性体用の２種類の高周波電力を供給するインバータ回路を搭載した出力制御基板を配置し、前記出力制御基板は被加熱物の判別結果により磁性体用又は非磁性体用の高周波電力を選択し、加熱コイルＢを連続して非磁性体の被加熱物を使用できるように制御するものである。
【００１１】
また、加熱コイルＡ、加熱コイルＢの通電中に、その通電を使用者に知らせる表示部Ａ、表示部Ｂを本体に設けたものである。
【発明の効果】
【００１２】
本発明は、上記したようにロースター加熱部の上方に設置した加熱コイルＢによって非磁性体であるアルミニウム製鍋の加熱ができるように制御することにより、使用者は加熱コイルＢと同時に魚調理を行なう際など、集中した位置にて調理することができ、使い勝手が良くなるものである。
【００１３】
また、使用者は加熱コイルＡ、加熱コイルＢの使用状態を表示部Ａ、表示部Ｂにより容易に知ることができるものである。
【発明を実施するための最良の形態】
【００１４】
以下、本発明の一実施例を図面に従って説明する。
【００１５】
図１は誘導加熱調理器の外観斜視図、図２（ａ）（ｂ）は加熱コイルの出力制御ブロック図を示すものである。
【００１６】
図において、１は誘導加熱調理器の本体である。２は絶縁板で、本体１の上面に水平に配置され、鉄等の磁性体又はアルミニウム等の非磁性体よりなる鍋等の被加熱物１３を載置するものである。
【００１７】
この絶縁板２の前面側上部の左右二箇所には後で述べる出力制御基板６と連動し、それぞれ通電の状態を表示する表示部Ａ１０、表示部Ｂ１１が設けられている。
【００１８】
３は加熱コイルＡ、４は加熱コイルＢで、絶縁板２の下方で本体１内の上部右左に配置されており、絶縁板２上に載置された被加熱物１３を加熱するものである。
【００１９】
また、加熱コイルＢ４は後記するようにロースター加熱部９の上方に配置されている。
【００２０】
５は本体１の前面右側に設けられた操作部で、加熱コイルＡ３、加熱コイルＢ４の加熱の設定、操作を行なうものである。
【００２１】
６はこの操作部５と連動した出力制御基板で、本体１内の空間スペースに配置されており、加熱コイルＡ３に対して磁性体用の高周波電力を供給するほか、加熱コイルＢ４に対して被加熱物１３が磁性体か非磁性体かを電流値にて判別し、その磁性体用と非磁性体用に合った２種類の高周波電力を供給するインバータ回路を搭載している。
【００２２】
７は吸気口で、本体１の後部において上方に向けて開口しており、本体１内部の出力制御基板６に冷却風を取り入れるための開口部である。
【００２３】
８は排気口で、前記吸気口７と同様本体１の後部において上方に向けて開口された開口部である。本実施例では、吸気口７は本体１後部の右側に、排気口８は左側に配置している。
【００２４】
９は本体１の前面左部に設けられたロースター加熱部で、加熱コイルＢ４の下方に配置されている。なお、このロースター加熱部９は前面右側に配置してもよく、この場合でもその上側には加熱コイルＢ４が配置される。
【００２５】
１２は本体１内の後部スペースに設けられた冷却ファンで、出力制御基板６及び加熱コイルＡ３、加熱コイルＢ４へ冷却風を送風するものである。
【００２６】
本発明の一実施例として、図２に示す如く、使用者が鉄等磁性体の被加熱物１３とアルミニウム等非磁性体の被加熱物１３を加熱コイルＢ４の上方に載置し、操作部５にて任意の出力に操作すると、出力制御基板６がこの加熱コイルＢ４に対して被加熱物１３が磁性体か非磁性体かを電流値にて判別し、磁性体の被加熱物１３が載置された場合にはは磁性体用の約２１ＫＨｚの高周波電力を供給し、非磁性体の被加熱物１３が載置された場合には非磁性体用の約６０ＫＨｚ以上の高周波電力を供給する。このとき、表示部Ａ１０、表示部Ｂ１１は、その通電状態を表示する。
【００２７】
なお、加熱コイルＡ３においては鉄製鍋等磁性体の被加熱物１３のみ通電可能とし、出力制御基板６は磁性体用の約２１ＫＨｚの高周波電力を供給する。
【００２８】
また、加熱コイルＡ３、加熱コイルＢ４、ロースター加熱部９等の同時加熱は可能である。
【００２９】
上記したように、本発明によれば、本体１内に加熱コイルＡ３、加熱コイルＢ４、加熱コイルＢ４の下方に配置されたロースター加熱部９、加熱コイルＢ４に対して被加熱物１３が磁性体か非磁性体かを判別し、その判別結果に基づいて夫々磁性体用と非磁性体用の２種類の高周波電力を供給するインバータ回路を搭載した出力制御基板６を配置し、前記出力制御基板６は被加熱物１３の判別結果により磁性体用又は非磁性体用の高周波電力を選択し、加熱コイルＢ４を連続して非磁性体の被加熱物１３を使用できるように制御するものである。
【００３０】
これによって、使用者は加熱コイルＢ４と同時にロースター加熱部９によって魚調理を行なう際など、集中した位置にて調理ができ、使い勝手が良くなるものである。
【００３１】
また加熱コイルＡ３、加熱コイルＢ４の通電中に、その通電を使用者に知らせる表示部Ａ１０、表示部Ｂ１１を本体１に設けたものである。
【００３２】
これによって、使用者は加熱コイルＡ３、加熱コイルＢ４の使用状態を表示部Ａ３、表示部Ｂ４により容易に知ることができるものである。
【図面の簡単な説明】
【００３３】
【図１】本発明の外観斜視図である。
【図２】本発明の加熱コイル出力制御ブロック図である。
【符号の説明】
【００３４】
１  本体
２  絶縁板
３  加熱コイルＡ
４  加熱コイルＢ
５  操作部
６  出力制御基板
７  吸気口
８  排気口
９  ロースター加熱部
１０  表示部Ａ
１１  表示部Ｂ
１２  冷却ファン
１３  被加熱物
【図１】
2005056684.tif 000003
【図２】
2005056684.tif 000004